(57)【要約】【課題】部品を接合する非破壊性締結要素を備えるターボ機械を提供する。【解決手段】第１および第２の表面（１９５）の一方は、非破壊性締結要素受入開口部（９６）とワイヤ保持機構（９７）とを含む。第２の部品は、第１の表面（１９５）と第２の表面との間の間隙（７４）内に延びる。非破壊性締結要素（１３０）は、第１の部品に取り外し可能に取り付けられる。非破壊性締結要素（１３０）は、ポスト部材（１０７）と、ポスト部材（１０７）に動作可能に接続されたワイヤ部材（１１０）とを含む。ポスト部材（１０７）は、非破壊性締結要素受入開口部（９６）内に延びて、第２の部品の取り外しを防止し、ワイヤ部材（１１０）は、ワイヤ保持機構（９７）に係合して、非破壊性締結要素（１３０）を第１の部品に固定する。【選択図】図１
2015055249.tif 000002
【特許請求の範囲】
【請求項１】
第１の表面（１９５）と、間隙（７４）により前記第１の表面（１９５）から離間された第２の表面とを含む第１の部品であって、前記第１の表面（１９５）および第２の表面の一方が、非破壊性締結要素受入開口部（９６）とワイヤ保持機構（９７）とを含む、前記第１の部品と、
前記第１の表面（１９５）と前記第２の表面との間の前記間隙（７４）内に延びる第２の部品と、
前記第１の部品に取り外し可能に取り付けられた非破壊性締結要素（１３０）であって、前記非破壊性締結要素（１３０）が、ポスト部材（１０７）と、前記ポスト部材（１０７）に動作可能に接続されたワイヤ部材（１１０）とを含み、前記ポスト部材（１０７）が、前記非破壊性締結要素受入開口部（９６）内に延びて、前記第２の部品の取り外しを防止し、前記ワイヤ部材（１１０）が、前記ワイヤ保持機構（９７）に係合して、前記非破壊性締結要素（１３０）を前記第１の部品に固定する前記非破壊性締結要素（１３０）と
を備えるターボ機械（２）。
【請求項２】
前記ワイヤ部材（１１０）が、前記ポスト部材（１０７）を通って延びる、請求項１に記載のターボ機械（２）。
【請求項３】
前記ポスト部材（１０７）が、基部（１５６）と、前記基部（１５６）から実質的に垂直に突出するポスト部（１５８）とを含み、前記ポスト部材（１０７）が、前記ポスト部（１５８）に対して実質的に垂直に前記基部（１５６）を通って延びる少なくとも１つのワイヤ受入通路（１６０）を含む、請求項１に記載のターボ機械（２）。
【請求項４】
前記基部（１５６）が、前記基部（１５６）を通って延びかつ前記少なくとも１つワイヤ受入通路（１６０）を二分するアクセスポート（１６６）を含み、前記アクセスポート（１６６）が、ワイヤ部材（１７４）切断工具を受け入れるように構成および配置される、請求項３に記載のターボ機械（２）。
【請求項５】
前記ワイヤ部材（１７４）が、第１の端部（１７６）から中間部（１７８）を介して第２の端部（１７７）まで延び、前記ワイヤ部材（１７４）が、前記少なくとも１つのワイヤ受入通路（１６０）を通って延びる、請求項３に記載のターボ機械（２）。
【請求項６】
前記第１の部品が、前記非破壊性締結要素受入開口部（９６）に近接して配設された別のワイヤ保持機構（１４０）を含み、前記ワイヤ保持機構（７４）が、前記ワイヤ部材（１１０）の前記第１の端部（１１６）をスナップ嵌合式に受け入れ、前記別のワイヤ保持機構（１４２）が、前記ワイヤ部材（１１０）の前記第２の端部（１１７）をスナップ嵌合式に受け入れる、請求項５に記載のターボ機械（２）。
【請求項７】
前記少なくとも１つのワイヤ受入通路（１６０）が、第１のワイヤ受入通路（２２１）と、前記第１のワイヤ受入通路（２２１）から離間された第２のワイヤ受入通路（２２３）とを含む、請求項５に記載のターボ機械（２）。
【請求項８】
前記ワイヤ部材（２３０）の前記第１の端部（２３３）が、前記第１のワイヤ受入通路（２２１）を通って延び、前記ワイヤ部材（２３０）の前記第２の端部（２３４）が、前記第２のワイヤ受入通路（２２３）を通って延び、前記中間部（２３５）がループ（２３９）を形成する、請求項７に記載のターボ機械（２）。
【請求項９】
前記ワイヤ保持機構（９７）が、前記非破壊性締結要素受入開口部（９６）に近接して前記第１の表面（１９５）から延びる突出部（１９８）を備え、前記ループ（２３９）が、前記非破壊性締結要素（１９０）を前記第１の部品に保持するために、前記突出部（１９８）の周りに延びる、請求項８に記載のターボ機械（２）。
【請求項１０】
径方向外縁部（３９）の周りに周方向に配置された複数の翼マウント（４３）を備えた翼取付領域（４１）を有する前記径方向外縁部（３９）と、前記径方向外縁部（３９）の周りに延びる第１の溝画成部材（４８）と、前記複数の翼マウント（４３）の径方向内側にロータの周りに周方向に延びる第２の溝画成部材（５４）とを含む前記ロータと、
前記ロータに取り付けられた複数の翼であって、前記複数の翼の各々が、保持部品（６６）と翼取付部（６１）とを含み、前記保持部品（６６）が、第１の表面（１９５）と、間隙（７４）により前記第１の表面（１９５）から離間された第２の表面を含む前記翼取付部（６１）とを含み、前記第１および第２の表面（１９５）の一方が、非破壊性締結要素受入開口部（９６）とワイヤ保持機構（９７）とを含む、前記複数の翼と、
前記第１および第２の溝画成部材（４８、５４）に受け入れられ、第１の表面（１９５）と第２の表面との間の間隙（７４）内に延びる翼保持要素（８０）と、
前記セグメント化されたカバー部品（８１）に取り外し可能に取り付けられた非破壊性締結要素（１３０）であって、前記非破壊性締結要素（１３０）が、ポスト部材（１０７）と、前記ポスト部材（１０７）に動作可能に接続されたワイヤ部材（１１０）とを含み、前記ポスト部材（１０７）が、前記非破壊性締結要素受入開口部（９６）内に延びて、前記セグメント化されたカバー部品（８１）の取り外しを防止し、前記ワイヤ部材（１１０）が、前記ワイヤ保持機構（９７）に係合して、前記非破壊性締結要素（１３０）を前記翼保持要素（８０）に固定する前記非破壊性締結要素（１３０）と
を備えるターボ機械（２）。
【請求項１１】
前記ワイヤ部材（１１０）が、前記ポスト部材（１０７）を通って延びる、請求項１０に記載のターボ機械（２）。
【請求項１２】
前記ポスト部材（１５４）が、基部（１５６）と、前記基部（１５６）から実質的に垂直に突出するポスト部（１５８）とを含み、前記ポスト部材（１５４）が、前記ポスト部（１５８）に対して実質的に垂直に前記基部（１５６）を通って延びる少なくとも１つのワイヤ受入通路（１６０）を含む、請求項１０に記載のターボ機械（２）。
【請求項１３】
前記基部（１５６）が、前記基部（１５６）を通って延びかつ前記少なくとも１のワイヤ受入通路（１６０）を二分するアクセスポート（１６６）を含み、前記アクセスポート（１６６）が、ワイヤ部材（１７４）切断工具を受け入れるように構成および配置される、請求項１２に記載のターボ機械（２）。
【請求項１４】
前記ワイヤ部材（１７４）が、第１の端部（１７６）から中間部（１７８）を介して第２の端部（１７７）まで延び、前記ワイヤ部材（１７４）が、前記少なくとも１つのワイヤ受入通路（１６０）を通って延びる、請求項１２に記載のターボ機械（２）。
【請求項１５】
前記保持部品（１９３）が、前記非破壊性締結要素受入開口部（９６）に近接して配設された別のワイヤ保持機構（１４０）を含み、前記ワイヤ保持機構（１４０）が、前記ワイヤ部材（２３０）の第１の端部（２３３）をスナップ嵌合式に受け入れ、前記別のワイヤ保持機構（１７２）が、前記ワイヤ部材（２３０）の前記第２の端部（２３４）をスナップ嵌合式に受け入れる、請求項１４に記載のターボ機械（２）。
【発明の詳細な説明】
【技術分野】
【０００１】
本明細書に開示する主題は、ターボ機械の技術に関し、より詳細には、部品を接合する非破壊性締結要素を備えるターボ機械に関する。
【背景技術】
【０００２】
ガスターボ機械は、共通の圧縮機／タービンシャフトおよび燃焼器アセンブリを介してタービン部に連結された圧縮機部を含む。入口空気流は、圧縮機部に向けて空気取入口を通過させる。圧縮機部において、入口空気流は、多数の連続する段を通して燃焼器アセンブリに向けて圧縮される。燃焼器アセンブリにおいて、圧縮空気流は、燃料と混合して、可燃性混合気を形成する。可燃性混合気を燃焼器アセンブリ内で燃焼させて、高温ガスを発生させる。高温ガスは、移行部片を介してタービン部に導かれる。高温ガスは、多数のタービン段を通って膨張して、ホイールに取り付けられたタービンバケットに作用し、例えば、発電機、ポンプに動力を供給するために、または車両に動力を与えるために出力される仕事を生成する。
【０００３】
各タービン段は、バケットを支持する中央ロータの周りに配置されるカバープレートを含み得る。カバープレートは、中央ロータおよびバケットに対する高温ガスの影響を低減し得る。いくつかのカバープレートは、中央ロータの周りの所定の位置に押し込まれ得る。他のカバープレートは、中央ロータへの取り付け前の実地でのカスタマイズに依存する。典型的にはピンの形態の締結要素は、設置されると、各バケットの基部に通されて、カバープレートをロータに固定する。しばしば、ピンは、バケット基部の所定の位置にかしめられるかまたは打ち付けられる。ピンの取り外しには、多大な時間と労力がかかる場合があり、結果として、ターボ機械の望ましくない休止時間が生じる。
【発明の概要】
【０００４】
例示的な実施形態の一態様によれば、ターボ機械は、第１の表面と、間隙により第１の表面から離間された第２の表面とを含む第１の部品を含む。第１および第２の表面の一方は、非破壊性締結要素受入開口部とワイヤ保持機構とを含む。第２の部品は、第１の表面と第２の表面との間の間隙内に延びる。非破壊性締結要素は、第１の部品に取り外し可能に取り付けられる。非破壊性締結要素は、ポスト部材と、ポスト部材に動作可能に接続されたワイヤ部材とを含む。ポスト部材は、非破壊性締結要素受入開口部内に延びて、第２の部品の取り外しを防止し、ワイヤ部材は、ワイヤ保持機構に係合して、非破壊性締結要素を第１の部品に固定する。
【０００５】
例示的な実施形態の別の態様によれば、ターボ機械は、径方向外縁部の周りに周方向に配置された複数の翼マウントを備えた翼取付領域を有する径方向外縁部と、径方向外縁部の周りに延びる第１の溝画成部材と、複数の翼マウントの径方向内側にロータの周りに周方向に延びる第２の溝画成部材とを含むロータを含む。複数の翼はロータに取り付けられる。複数の翼の各々は、保持部品と翼取付部とを含む。保持部品は、第１の表面を含み、翼取付部は、間隙により第１の表面から離間された第２の表面を含む。第１および第２の表面の一方は、非破壊性締結要素受入開口部とワイヤ保持機構とを含む。翼保持要素は、第１および第２の溝画成部材に受け入れられ、第１の表面と第２の表面との間の間隙内に延びる。非破壊性締結要素は、保持部品に取り外し可能に取り付けられる。非破壊性締結要素は、ポスト部材と、ポスト部材に動作可能に接続されたワイヤ部材とを含む。ポスト部材は、非破壊性締結要素受入開口部内に延びて、翼保持部品の取り外しを防止し、ワイヤ部材は、ワイヤ保持機構に係合して、非破壊性締結要素を保持部品に固定する。
【０００６】
これらおよび他の利点および特徴は、図面と併せて解釈される以下の説明からより明らかになるであろう。
【０００７】
本発明と見なされる主題は、本明細書の末尾にある特許請求の範囲において特に指摘され、明確に特許請求されている。本発明の前述および他の特徴および利点は、添付の図面と併せて解釈される以下の詳細な説明から明らかである。
【図面の簡単な説明】
【０００８】
【図１】例示的な実施形態による、非破壊性締結要素を備えたターボ機械を含むターボ機械システムを図示するブロック図である。
【図２】セグメント化されたカバー部品が図１の非破壊性締結要素を介して翼に接合されたタービンロータを有するタービン部の部分断面図である。
【図３】図２のタービンロータの部分斜視図である。
【図４】例示的な実施形態の態様による、非破壊性締結要素を用いて翼の保持部品に接合されたセグメント化されたカバー部品の部分斜視図である。
【図５】セグメント化されたカバー部品および図４の保持部品の部分断面側面図である。
【図６】例示的な実施形態の別の態様による、セグメント化されたカバー部品を保持部品に接合する非破壊性締結要素の部分斜視図である。
【図７】図６の保持部品に位置決めされたセグメント化されたカバー部品の斜視図である。
【図８】例示的な実施形態の別の態様による非破壊性締結要素の斜視図である。
【図９】セグメント化されたカバー部品を図６の保持部品に接合する図７の非破壊性締結要素の部分斜視図である。
【図１０】例示的な実施形態の更に別の態様による、セグメント化されたカバー部品を保持部品に接合する非破壊性締結要素の部分斜視図である。
【図１１】図１０の保持部品に位置決めされたセグメント化されたカバー部品の斜視図である。
【図１２】例示的な実施形態の更に別の態様による非破壊性締結要素の斜視図である。
【図１３】セグメント化されたカバー部品および図１２の保持部品の部分断面側面図である。
【図１４】例示的な実施形態のなお更に別の態様による非破壊性締結要素の斜視図である。
【図１５】セグメント化されたカバー部品を固定する図１４の非破壊性締結要素の部分断面図である。
【図１６】例示的な実施形態のなお更に別の態様による非破壊性締結要素の斜視図である。
【図１７】セグメント化されたカバー部品を固定する図１６の非破壊性締結要素の部分断面図である。
【図１８】例示的な実施形態の更に別の態様による非破壊性締結要素の斜視図である。
【図１９】セグメント化されたカバー部品を固定する図１８の非破壊性締結要素の部分断面図である。
【発明を実施するための形態】
【０００９】
詳細な説明では、例として図面を参照して、利点および特徴と共に、本発明の実施形態を解説する。
【００１０】
図１では、例示的な実施形態によるターボ機械が全体的に２で示される。ターボ機械２は、燃焼器アセンブリ８を介してタービン部６に動作可能に接続された圧縮機部４を含む。燃焼器アセンブリ８は、環状筒形配列で配設され得る１つまたは複数の燃焼器１０を含む。圧縮機部４はまた、共通の圧縮機／タービンシャフト１２を介してタービン部６に機械的に連結される。圧縮機部４は、周囲空気流を受け入れ得る入口１４を含む。空気流は、圧縮機部４を通過するとともに、圧縮機部４により圧縮される。空気流の一部は、燃焼器アセンブリ８へ流れ、燃料と混合して、可燃性混合気を形成する。圧縮機部４から流れる空気流の別の部分は、冷却のためにタービン部６に流れ込む。可燃性混合気を、燃焼器アセンブリ８内で燃焼させ、高温ガスとしてタービン部６内に送る。高温ガスは、タービン部６を通って膨張し、排気部１６を通って外に出る。タービン部６は、高温ガスからの熱エネルギーを、負荷１８に動力を供給するために使用される機械エネルギーに変換する。負荷１８は、共通の圧縮機／タービンシャフト１２に接続された、発電機、ポンプ、または他の被駆動装置であってもよい。
【００１１】
タービン部６は、複数のバケットまたは翼部品３３を支持するタービンロータ３０を含む。翼部品３３は、タービン部６を通って流れる高温ガスにさらされると、タービンロータ３０を回転させる。ここで、タービンロータの数が異なってもよいことを理解すべきである。図２および図３に示すように、タービンロータ３０は、中央ハブ３７から径方向外縁部３９に延びる。径方向外縁部３９は、ダブテールスロット４５の形態で示される複数の翼マウント４３を有する翼取付領域４１を含む。タービンロータ３０は、複数の第１の溝画成部材であって、径方向外縁部３９の周りに配設される第１の溝５０を形成するそれら第１の溝画成部材の１つが４８で示されている第１の溝画成部材と、翼取付領域４１の径方向内側に配設される第２の溝５６を画成する第２の溝画成部材５４とを含む。
【００１２】
複数の翼部品３３の各々は、複数の翼マウント４３のうちの対応する翼マウント４３において、タービンロータ３０に結合される。各翼部品３３は、翼取付部６１から延びる翼形部５９を含む。翼取付部６１は、ダブテールスロット４５に受け入れられるダブテール部材６３の形態で示されている。各翼部品３３はまた、翼取付部６１の外表面７２にほぼ平行でありかつこの外表面から離間された外表面６９を有する少なくとも１つの保持部品６６を含む。第２の保持部品（別個には参照符号を付さず）を設けてもよい。間隙７４は、保持部品６６と翼取付部６１の第１の外表面７２との間に形成される。
【００１３】
１つまたは複数の翼保持要素８０は、径方向外縁部３９に取り付けられ、保持部品６６により、少なくとも部分的に、所定の位置に維持される。例示的な実施形態の態様によれば、翼保持要素８０は、複数のセグメント化されたカバー部品の形態を取り、それらカバー部品の１つが８１で示されている。当然ながら、翼保持要素８０が係止ワイヤの形態を取ってもよいことを理解すべきである。各セグメント化されたカバー部品８１は、第２の溝画成部材５４に係合するフック要素８３と、間隙７４内に延びかつ第１の溝５０に受け入れられる径方向外側のリップ部８５とを含む。セグメント化されたカバー部品８１は、高圧ガスからタービンロータ３０を保護し、冷却媒体流通路を封止し、振動を減衰させ、翼部品３３など軸方向に保持することができる。セグメント化されたカバー部品８１は、複数の非破壊性締結要素を介してタービンロータ３０に固定され、各翼部品３３の保持部品６６のそれぞれを通って延びるそれら締結要素の１つが９４で示されている。
【００１４】
図４、図５に図示する例示的な実施形態の一態様によれば、保持部品６６は、非破壊性締結要素受入開口部９６と、近接するワイヤ保持機構９７とを含む。非破壊性締結要素９４は、ポスト部材１０７とワイヤ部材１１０とを含む。ここで、「非破壊性」という用語は、その後の再使用が可能であるように、永久変形を伴うことなく設置されかつ修理不可能な損傷を被ることなく取り外され得る締結要素を表すことを理解すべきである。ポスト部材１０７は、中央開口部またはワイヤ受入通路１１３を含む。ワイヤ部材１１０は、第１の端部１１６から中間部１１８を介して第２の端部１１７まで延びる。第１の端部１１６は、ワイヤ受入通路１１３内に受け入れられ、ポスト部材１０７により保持される。第２の端部１１７は、保持部品６６上のワイヤ保持機構９７に受け入れられる。第２の端部１１７は、カバー保持部品６６をスナップ嵌合式に把持するフック部分１２０を含む。ポスト部材１０７は、設置されると、セグメント化されたカバー部品８１側に延びる。半径方向外側のリップ部８５は、図５に示すように、非破壊性締結要素９４が設置されたときに、セグメント化されたカバー部品８１が引き抜かれるのを防止する。非破壊性締結要素９４は、単にワイヤ部材１１０を変形させて、第２の端部１１７をワイヤ保持機構９７から外すだけで、取り外すことができる。
【００１５】
次に図６〜図９を参照して、例示的な実施形態の別の態様による非破壊性締結要素１３０について説明する。図示の例示的な実施形態において、各翼部品３３は、外表面１３５を有する保持部品１３３を含む。保持部品１３３は、非破壊性締結要素１３０の挿入を容易にする導入機構１３９を有する非破壊性締結要素受入開口部１３８を含む。保持部品１３３はまた、非破壊性締結要素受入開口部１３８の一方の側部に配設された第１のワイヤ保持機構１４０と、非破壊性締結要素受入開口部１３８の対向する側部に配設された第２のワイヤ保持機構１４２とを含む。第１のワイヤ保持機構１４０と第２のワイヤ保持機構１４２の各々は、対応する導入部分１４４および１４５を含む。
【００１６】
非破壊性締結要素１３０は、基部１５６とポスト部１５８とを有するポスト部材１５４を含む。基部１５６は、ポスト部１５８の長手方向軸線にほぼ垂直に延びるワイヤ受入通路１６０を含む。基部１５６はまた、ワイヤ受入通路１６０を二分するアクセスポート１６６を含む。ワイヤ部材１７４は、ワイヤ受入通路１６０を通って延びる。アクセスポート１６６は、以下に詳述するように、取り外しを容易に／速やかに達成できない場合にワイヤ部材１７４を切断するために、ドリルビットなどの工具のアクセスを可能にする。ワイヤ部材１７４は、第１の端部１７６から中間部１７８を介して第２の端部１７７まで延びる。第１の端部１７６は、第１のフック部分１８０を含み、第２の端部１７７は、第２のフック部分１８１を含む。第１の端部１７６と第２の端部１７７は、第１のワイヤ保持機構１４０と第２のワイヤ保持機構１４２によりそれぞれスナップ嵌合式に受け入れられるように構成される。第１の導入部分１４４と第２の導入部分１４５は、第１の端部１７６の挿入と第２の端部１７７の挿入をそれぞれ容易にする。ポスト部１５８は、設置されると、セグメント化されたカバー部品８１側に延びる。半径方向外側のリップ部８５は、図５に示すように、非破壊性締結要素１３０が設置されたときに、セグメント化されたカバー部品８１が引き抜かれるのを防止する。非破壊性締結要素１３０は、単にワイヤ部材１７４を変形させて、第１の端部１７６と第２の端部１７７を保持部品１３３から外すだけで、取り外すことができる。
【００１７】
次に図１０〜図１３を参照して、例示的な実施形態の更に別の態様による非破壊性締結要素１９０について説明する。図示の例示的な実施形態において、翼部品３３は、第１の表面１９５と突出部１９８とを有する保持部品１９３を含む。突出部１９８は、共通の圧縮機／タービンシャフト１２側に突き出すか、または共通の圧縮機／タービンシャフト１２側に径方向内側に延びる。当然ながら、突出部１９８を１つまたは複数の凹部に置き換えてもよいことを理解すべきである。保持部品１９３はまた、導入機構２０５を有する非破壊性締結要素受入開口部２０４を含む。非破壊性締結要素１９０は、基部２１６とポスト部２１８とを含む。基部２１６は、第１のワイヤ受入通路２２１と第２のワイヤ受入通路２２３とを含む。第１のワイヤ受入通路２２１は、基部２１６の第１の側部に沿って延び、第２のワイヤ受入通路２２３は、基部２１６の対向する第２の側部に沿って延びるとともに、第１のワイヤ受入通路２２１にほぼ平行である。
【００１８】
非破壊性締結要素１９０はまた、基部２１６に結合されたワイヤ部材２３０を含む。ワイヤ部材２３０は、第１の端部２３３から中間部２３５を介して第２の端部２３４まで延びる。中間部２３５にループ２３９が形成されるように、第１の端部２３３は第１のワイヤ受入通路２２１を通って延び、第２の端部２３４は第２のワイヤ受入通路２２３を通って延びる。この配置により、ポスト部２１８は、非破壊性締結要素受入開口部２０４に通され、ワイヤ部材２３０は曲げられて、ループ２３９が突出部１９８に掛け渡され係合することを可能にする。ポスト部２１８は、取り外しを防止するためにセグメント化されたカバー部品８１側に延びる。
【００１９】
ここで、例示的な実施形態がターボ機械部品を接合する非破壊性締結要素を表していることを理解すべきである。非破壊性締結要素はセグメント化されたカバー部品を保持するものとして説明されているが、他の静的構造と回転構造の両方を接合するために非破壊性締結要素を使用してもよいことを理解すべきである。更に、タービン部に使用することに加えて、非破壊性締結要素を、燃焼器アセンブリおよび／または圧縮機部またはターボ機械の他の箇所に使用してもよいことを理解すべきである。更に、非破壊性締結要素の形状が異なってもよいことを理解すべきである。図１４および図１５は、例示的な実施形態の別の態様による非破壊性締結要素３００を図示している。図１６および図１７は、例示的な実施形態の更に別の態様による非破壊性締結要素３０４を図示している。図１８および図１９は、例示的な実施形態のなお更に別の態様による非破壊性締結要素３０８を図示している。
【００２０】
本発明について限られた数の実施形態のみに関連して詳細に説明してきたが、本発明が、そのような開示した実施形態に限定されないことは容易に理解されるはずである。むしろ、本発明は、これまで説明していないが、本発明の精神および範囲に相応する任意の数の変形形態、変更形態、置換形態、または同等の構成を組み込むように修正することができる。加えて、本発明の種々の実施形態について説明してきたが、本発明の態様は、説明した実施形態のいくつかのみを含み得ることを理解されたい。よって、本発明は、前述の説明により限定されると見なされるべきではなく、添付した特許請求の範囲によってのみ限定される。
【符号の説明】
【００２１】
２  ターボ機械
４  圧縮機部
６  タービン部
８  燃焼器アセンブリ
１０  １つまたは複数の燃焼器
１２  共通の圧縮機／タービンシャフト
１４  入口
１６  排気部
１８  負荷
３０  タービンロータ
３３  翼部品
３７  中央ハブ
３９  径方向外縁部
４１  翼取付領域
４３  翼マウント
４５  ダブテールスロット
４８  複数の第１の溝画成部材
５０  第１の溝
５４  第２の溝画成部材
５６  第２の溝
５９  翼形部
６１  翼取付部
６３  ダブテール部材
６６  保持部品
６９  外表面
７２  第１の外表面
７４  隙間
８０  翼保持要素
８１  セグメント化されたカバー部品
８３  フック要素
８５  径方向外側のリップ部
９４  非破壊性締結要素
９６  非破壊性締結要素受入開口部
９７  ワイヤ保持機構
１０７  ポスト部材
１１０  ワイヤ部材
１１３  ワイヤ受入通路
１１６  第１の端部
１１７  第２の端部
１１８  中間部
１２０  フック部分
１３０  非破壊性締結要素
１３３  保持部品
１３５  外表面
１３８  非破壊性締結要素受入開口部
１３９  導入機構
１４０  第１のワイヤ保持機構
１４２  第２のワイヤ保持機構
１４４  第１の導入部分
１４５  第２の導入部分
１５４  ポスト部材
１５６  基部
１５８  ポスト部
１６０  ワイヤ受入通路
１６６  アクセスポート
１７４  ワイヤ部材
１７６  第１の端部
１７７  第２の端部
１７８  中間部
１８０  第１のフック部分
１８１  第２のフック部分
１９０  非破壊性締結要素
１９３  保持部品
１９５  第１の表面
１９８  突出部
２０４  非破壊性締結要素受入開口部
２０５  導入機構
２１６  基部
２１８  ポスト部
２２１  第１のワイヤ受入通路
２２３  第２のワイヤ受入通路
２３０  ワイヤ部材
２３３  第１の端部
２３４  第２の端部
２３５  中間部
２３９  ループ
３００  非破壊性締結要素
３０４  非破壊性締結要素
３０８  非破壊性締結要素
【図１】
2015055249.tif 000003
【図２】
2015055249.tif 000004
【図３】
2015055249.tif 000005
【図４】
2015055249.tif 000006
【図５】
2015055249.tif 000007
【図６】
2015055249.tif 000008
【図７】
2015055249.tif 000009
【図８】
2015055249.tif 000010
【図９】
2015055249.tif 000011
【図１０】
2015055249.tif 000012
【図１１】
2015055249.tif 000013
【図１２】
2015055249.tif 000014
【図１３】
2015055249.tif 000015
【図１４】
2015055249.tif 000016
【図１５】
2015055249.tif 000017
【図１６】
2015055249.tif 000018
【図１７】
2015055249.tif 000019
【図１８】
2015055249.tif 000020
【図１９】
2015055249.tif 000021